Podtech/llm-jp-corpus-v4-ja_patent huggingface dataset:
【誤訳訂正書】
【提出日】平成20年11月20日(2008.11.20)
【誤訳訂正１】
【訂正対象書類名】特許請求の範囲
【訂正対象項目名】請求項１
【訂正方法】変更
【訂正の内容】
【請求項１】
式Ｉの構造を有し、製薬上許容されるその塩およびプロドラッグを含む化合物。
【化１】
2004521124.tif 000001
［式中、
Ｒ１は、（ａ）ハロゲン、（ｂ）Ｃ１−６アルキル（アルキルは直鎖もしくは分岐であり、１〜３個のＦで置換されていても良い）および（ｃ）−ＯＣ１〜Ｃ６アルキル（−ＯＣ１〜Ｃ６アルキルは直鎖もしくは分岐であり、ＣｌおよびＦから独立に選択される１〜３個のハロゲンで置換されていても良い）からなる群から選択され；ただし、Ｒ１およびＲ２の両方がＣＨ３であることはなく、さらにＲ１がＣｌでありＲ３がＣ４アルキルである場合、Ｒ７は４−クロロフェノキシではなく、さらにＲ１またはＲ２がプロピルであってＲ３がアセチルである場合、Ｒ１およびＲ２のうちの他方はメチルではなく；
Ｒ２は、Ｃ１〜Ｃ６アルキルおよびＣ３〜Ｃ１２脂環基からなる群から選択され；ここにおいて、アルキルは、直鎖もしくは分岐であり、１〜３個のＦで置換されていても良く、脂環基は１〜５個のハロゲンで置換されていても良く；
Ｒ３は、Ｃ２〜Ｃ６アルキル、−Ｃ（Ｏ）Ｃ１〜Ｃ６アルキル、−Ｃ（Ｏ）アリール、−Ｃ（Ｏ）Ｃ３〜Ｃ１２脂環基、−Ｃ（Ｏ）複素環、−Ｃ（Ｏ）ヘテロアリール、−ＯＣ１−６アルキル、−Ｏアリール、−Ｏ複素環および−Ｏヘテロアリールからなる群から選択され；ここにおいて、アルキルは、いずれの場合も、直鎖もしくは分岐であることができ、（ａ）１〜５個のＣｌおよび／またはＦ原子および／または（ｂ）１個のアリールもしくはヘテロアリールから選択される１以上の置換基で置換されていても良く；ここにおいて、アリール、複素環およびヘテロアリールは、Ｃｌ、Ｆ、Ｂｒ、１〜５個のハロゲンで置換されていても良い直鎖もしくは分岐のＣ１〜Ｃ５アルキル、１〜５個のハロゲンで置換されていても良いアリールおよび１〜５個のハロゲンで置換されていても良い直鎖もしくは分岐の−ＯＣ１〜Ｃ５アルキルからなる群から独立に選択される１〜３個の置換基で置換されていても良く；
Ｒ４は、Ｈ、−ＯＨ、−ＯＣ１〜Ｃ６−アルキル、−Ｏ複素環、−Ｏヘテロアリールおよびハロゲンからなる群から選択され；ここにおいて、−Ｏアルキルは、直鎖もしくは分岐であることができ、ＦおよびＣｌから独立に選択される１〜３個のハロゲンで置換されていても良く、複素環およびヘテロアリールはＣｌ、Ｆ、Ｂｒ、Ｃ１〜Ｃ５アルキルおよび−ＯＣ１〜Ｃ５アルキルから独立に選択される１〜３個の置換基で置換されていても良く、Ｃ１〜Ｃ５アルキルおよび−ＯＣ１〜Ｃ５アルキルは、直鎖もしくは分岐であることができ、ＣｌおよびＦから独立に選択される１〜５個のハロゲンで置換されていても良く；
あるいは場合によって、Ｒ３とＲ４が一体となって、（ａ）Ｏ、ＮおよびＳから選択される１〜３個のヘテロ原子、（ｂ）２〜５個の炭素原子および（ｃ）場合によって１個のカルボニル基を有する５員環もしくは６員環を形成していても良く；前記５員環もしくは６員環はベンゼン環に縮合しており、そのベンゼン環および縮合５員環もしくは６員環とが一体となって、５員もしくは６員の縮合環に１個のカルボニル基を有していても良く、５員もしくは６員の縮合環上でＲ８から独立に選択される１〜２個の置換基で置換されていても良いヘテロアリールまたは複素環を形成しており；
Ｒ５は、Ｈまたはハロゲンであり；
Ｒ６は、Ｈ、ハロゲン、ＣＨ３およびＣＦ３からなる群から選択され；
各Ｒ７は独立に、ハロゲン、Ｃ１〜Ｃ６アルキル、Ｃ１〜Ｃ６アルコキシ、−ＳＣ１−６アルキル、−Ｏアリール、Ｃ２〜Ｃ６アルケニル、Ｃ２〜Ｃ６アルキニル、−ＣＮ、−Ｃ（Ｏ）ＯＣ１〜Ｃ３アルキルおよび−Ｃ（Ｏ）Ｃ１〜Ｃ３アルキルからなる群から独立に選択され；ここにおいて、各アルキル、アルケニル、アルコキシおよびアルキニルならびに置換基の各アルキル部分は、直鎖もしくは分岐であり、１〜５個のハロゲン原子および／またはアリールおよびヘテロアリールから選択される１個の置換基で置換されていても良く；各アリールおよびヘテロアリールは、ハロゲン、ＣＨ３、ＣＦ３、−ＯＣＨ３および−ＯＣＦ３から独立に選択される１〜３個の基で置換されていても良く；
各Ｒ８は、（ａ）直鎖もしくは分岐であることができ、１〜３個のＦで置換されていても良い−ＯＣ１〜Ｃ５アルキル、（ｂ）直鎖もしくは分岐であることができ、１個のアリール、ＣｌおよびＦから独立に選択される１〜５個のハロゲンおよび／または１個の−ＣＯＯＨで置換されていても良いＣ１〜Ｃ９アルキル、（ｃ）アリールおよび（ｄ）ヘテロアリールからなる群から独立に選択され；ここにおいて、アリールおよびヘテロアリールはＣｌ、Ｆ、Ｃ１〜Ｃ５アルキルおよび−ＯＣ１〜Ｃ５アルキルからなる群から独立に選択される１〜３個の置換基で置換されていても良く、各アルキルおよび各−ＯＣ１〜Ｃ５アルキルは、直鎖もしくは分岐であることができ、ハロゲン、−ＯＣＨ３および−ＯＣＦ３から独立に選択される１〜３個の置換基で置換されていても良く；
アリールは、環に６〜１０個の原子を有する芳香族炭素環式単環系もしくは二環系であり；
ヘテロアリールは、環に４〜１１個の原子を有する単環もしくは二環の芳香環系であり；ここにおいて、環における少なくとも１個の原子がＮ、ＯおよびＳから選択されるヘテロ原子であり；
複素環は、環において４〜１１個の原子を有し、環においてＯ、ＮおよびＳから選択される少なくとも１個のヘテロ原子を有する、完全もしくは部分飽和の単環式もしくは二環式の環系であり；
脂環基は、１個のＣ３〜Ｃ６シクロアルキルおよび前記シクロアルキル基に結合している直鎖もしくは分岐であることができる１以上のアルキル基を有する置換基であり；ここにおいて、結合点は、前記シクロアルキルまたはアルキル基を介したものであることができ；
Ａｒ１は、フェニル、チエニル、チアゾリル、オキサゾリルおよびピリジルからなる群から選択され、アリール、ピリジルもしくはＲ７から独立に選択される１〜３個の基で置換されていても良く；
ＸはＯまたはＳであり；
Ｚは、−ＣＯＯＨ、テトラゾールおよび−Ｃ（Ｏ）ＮＨＳ（Ｏ）２Ｒ８からなる群から選択される。］
【誤訳訂正書】
【提出日】平成21年5月14日(2009.5.14)
【誤訳訂正１】
【訂正対象書類名】明細書
【訂正対象項目名】００３６
【訂正方法】変更
【訂正の内容】
【００３６】
駆動段６８はそのとき、「ロー」状態が制御出力６６にあるときはスイッチング信号Ｓ１＝０を発生し、その結果第１の電子スイッチ１６がオフになるような方法で形成される。
「ロー」状態が同様に制御出力７０に存在する場合は、駆動回路７２はスイッチング信号Ｓ２＝「ハイ」を発生し、その結果第２の電子スイッチ２０をオンにし、従ってハーフフブリッジ１０のセンタタップ１８は能動的にグラウンドに切り換えられる。
他方、「ロー」状態が信号出力３６に存在する場合は、これは、第１制御段４６のトランジスタ５６および第２制御段５０のトランジスタ６０をそれぞれオンおよびオフさせるようにし、従って、トランジスタ５６が供給電圧端子５２との直接接続を確立するので「ハイ」状態が制御出力６６に存在し、また他方では、第２の制御段５０のトランジスタ６０がオフし、その結果制御出力７０は同様に、抵抗器６２を介して供給電圧端子５２の電圧になるので、制御出力７０に「ハイ」状態が同じく存在することになる。
【誤訳訂正２】
【訂正対象書類名】明細書
【訂正対象項目名】００３７
【訂正方法】変更
【訂正の内容】
【００３７】
駆動回路６８が上記に対応するように形成される結果として、制御出力６６での「ハイ」状態は、この駆動回路がスイッチング信号Ｓ１＝「ハイ」を発生するようにし、その結果第１の電子スイッチ１６をオンにするようにし、一方制御出力７０で「ハイ」状態を有する駆動回路７２はスイッチング信号Ｓ２＝「ロー」を発生し、その結果第２の電子スイッチ２０をオンさせないようにする。その結果、センタタップ１８は能動的に電源電圧ＵＶに切り換えられる。
他方、信号出力３６が「トライステート」状態に切り換えられる場合は、これが電位を予め決めるのではなく、その電位は信号出力３６の外部配線に相当するようにそれ自体で設定されることができる。
抵抗器５９と６４は同じ大きさのものであり、その上トランジスタ５６と６０のベース−エミッタ電圧は同様に大きさがほぼ等しいということのために、丁度電圧ＵＳの半分に相当する電位が制御入力４２でそれ自体で設定される。
これにより第１の制御段４６のトランジスタ５６がオンし、その結果として制御出力６６で「ハイ」状態が存在し、それにより今度は駆動回路６８がスイッチング信号Ｓ１＝０を発生することになる。
更に、「トライステート」状態においては、第２制御段５０のトランジスタ６０が同様にオンし、従って、制御出力７０は「ロー」状態を有し、その結果駆動回路７２はスイッチング信号Ｓ２＝０を発生する。
即ち、信号出力３６での「トライステート」信号状態は制御スイッチ１６と２０の両方をオフさせる。
【誤訳訂正３】
【訂正対象書類名】図面
【訂正対象項目名】図３
【訂正方法】変更
【訂正の内容】
【図３】
2004521595.tif 000001
【誤訳訂正書】
【提出日】平成20年11月19日(2008.11.19)
【誤訳訂正１】
【訂正対象書類名】特許請求の範囲
【訂正対象項目名】全文
【訂正方法】変更
【訂正の内容】
【特許請求の範囲】
【請求項１】
式（Ｉ）：
【化１】
2004521087.tif 000001
［式中、
Ｒ1は、フェニル、ピリジル、フラニル、インドリル、ベンゾフラニル、キノリニル、イソキノリニル、ピラジニル、キノキサリニル、ベンゾオキサゾリル、ピラゾリル、イソオキサゾリルまたは２,３−ジヒドロ−１,４−ベンゾジオキシニルであり（ここで、これらはいずれも置換されていてもよい）；
Ｒ2は、フェニル、チアゾリル、ピラゾリル、トリアゾリル、ピリダジニルまたはイソオキサゾリルを表す（ここで、これらはいずれもＲ3およびさらなる任意の置換基により置換されている）；
Ｒ3は、トリフルオロメトキシ、メトキシ、ハロ、または置換されていてもよいフェニル、ピリジル、ピラゾリルもしくはオキサジアゾリル基を表す］
で示される化合物またはその医薬上許容される塩。
【請求項２】
Ｒ1が置換されていてもよいフェニル、ベンゾフラニル、キノリニル、インドリルまたはベンゾオキサゾリルである請求項１記載の化合物。
【請求項３】
Ｒ2が置換されていてもよいチアゾリルを表す請求項１または２記載の化合物。
【請求項４】
Ｒ3が置換されていてもよいフェニルまたはピリジル基を表す請求項１〜３いずれか１項記載の化合物。
【請求項５】
(ＲＳ)−３−(２−メトキシベンズアミドメチル)−４−((４−(２−メチル−５−フェニル))チアゾリル)カルボニル)モルホリン、
(ＲＳ)−３−((４−ベンゾフラニル)カルボニルアミノメチル)−４−((４−(２−メチル−５−(４−フルオロ−フェニル))チアゾリル)カルボニル)モルホリン、
(ＲＳ)−３−((７−ベンゾフラニル)カルボニルアミノメチル)−４−((４−(２−メチル−５−(４−フルオロフェニル))チアゾリル)カルボニル)モルホリン、
(ＲＳ)−３−((３−インドリル)カルボニルアミノメチル)−４−((４−(２−メチル−５−(４−フルオロフェニル))チアゾリル)カルボニル)モルホリン、
(ＲＳ)−３−((２,３−ジヒドロ−１,４−ベンゾジオキシン−７−イル)カルボニルアミノメチル)−４−((４−(２−メチル−５−(４−フルオロフェニル))チアゾリル)カルボニル)モルホリン、
(ＲＳ)−３−((４−(２−メチル)−ベンゾオキサゾリル)カルボニルアミノメチル)−４−((４−(２−メチル−５−(４−フルオロフェニル))チアゾリル)カルボニル)モルホリン、
(ＲＳ)−３−(３−トリフルオロメトキシベンズアミドメチル)−４−((４−(２−メチル−５−(４−フルオロフェニル))チアゾリル)カルボニル)モルホリン、
(ＲＳ)−３−((８−キノリニル)カルボニルアミノメチル)−４−((４−(２−メチル−５−(４−フルオロフェニル))チアゾリル)カルボニル)モルホリン、
(ＲＳ)−３−((４−ベンゾフラニル)カルボニルアミノメチル)−４−((４−(２−メチル−５−(２−ピリジル))チアゾリル)カルボニル)モルホリン、
(ＲＳ)−３−((４−ベンゾフラニル)カルボニルアミノメチル)−４−((４−(２−メチル−５−(２−フルオロフェニル))チアゾリル)カルボニル)モルホリン、
(ＲＳ)−３−((４−ベンゾフラニル)カルボニルアミノメチル)−４−((４−(２−メチル−５−(３−フルオロフェニル))チアゾリル)カルボニル)モルホリン、
(ＲＳ)−３−((４−ベンゾフラニル)カルボニルアミノメチル)−４−((４−(５−フェニル)チアゾリル)カルボニル)モルホリン、もしくは
(ＲＳ)−３−(２−メトキシベンズアミドメチル)−４−((４−(２−メチル−５−(４−フルオロフェニル))チアゾリル)カルボニル)モルホリン
のうちのいずれか１つの化合物またはその医薬上許容される塩。
【請求項６】
請求項１〜５いずれか１項記載の式（Ｉ）で示される化合物またはその医薬上許容される塩、および医薬上許容される担体を含む、ヒトオレキシン受容体のアンタゴニストを必要とする疾患または障害の治療または予防のための医薬組成物。
【誤訳訂正２】
【訂正対象書類名】明細書
【訂正対象項目名】００８６
【訂正方法】変更
【訂正の内容】
【００８６】
【表１】
2004521087.tif 000002
【誤訳訂正書】
【提出日】平成20年11月28日(2008.11.28)
【誤訳訂正１】
【訂正対象書類名】特許請求の範囲
【訂正対象項目名】全文
【訂正方法】変更
【訂正の内容】
【特許請求の範囲】
【請求項１】
生体適合性ポリマー及び５００ｎｍ以下の平均粒子寸法を有する、生物活性微粒子セラミックの均質な混合体を備える、整形外科用組成物であって、
前記生体適合性ポリマーは、ポリエチレン、ポリメチルメタアクリレート、ポリエーテルエーテルケトン、ポリウレタン、ポリ（Ｌ―ラクチド）、ポリ（Ｄ、Ｌ―ラクチド）、ポリ（Ｌ―共―Ｄ、Ｌラクチド）、ポリグリコライド、ポリ（ラクチド―共―グリコライド）、ポリ（ヒドロキシブチレート）、ポリ（ヒドロキシヴァラレート）、チロシン誘導ポリカーボネート、ポリ無水物、ポリオルトエステル、ポリフォスファゼン、ポリ（ジオキサノン）、ポリ（−カプロラクトン）及びポリグリコネートから選ばれ、
前記均質な混合体は、担体溶剤によって、前記セラミック、前記ポリマー又はその組合わせ体を加工することにより得られる、
整形外科用組成物。
【請求項２】
請求項１の組成物において、前記微粒子セラミックの少なくとも３０％が１００ｎｍ以下の平均粒子寸法を有する、組成物。
【請求項３】
請求項１の組成物において、前記セラミックが１００ｎｍの平均粒子寸法を有する、組成物。
【請求項４】
請求項１の組成物において、前記セラミックが１ｎｍ乃至５００ｎｍの平均粒子寸法を有する、組成物。
【請求項５】
請求項４の組成物において、前記セラミックが１ｎｍ乃至１００ｎｍの平均粒子寸法を有する、組成物。
【請求項６】
請求項５の組成物において、前記セラミックが１ｎｍ乃至５０ｎｍの平均粒子寸法を有する、組成物。
【請求項７】
請求項１の組成物において、前記組成物が、体積比で１％乃至４９％の前記セラミック及び重量比で５１％乃至９９％の前記ポリマーを備える、組成物。
【請求項８】
請求項１の組成物において、前記ポリマーが、ポリエーテルエーテルケトン、ポリエチレン、ポリメチルメタアクリレート、ポリ（Ｌ―ラクチド）、ポリ（Ｄ、Ｌ―ラクチド）、ポリ（Ｌ―共―Ｄ、Ｌ―ラクチド）、ポリグリコライド、ポリ（ラクチド―共―グリコライド）、ポリ（ヒドロキシブチレート）、ポリ（ヒドロキシヴァラレート）、チロシン誘導ポリカーボネート、及びその組合わせ体を備える組成物。
【請求項９】
請求項１の組成物において、前記微粒子セラミックが、カルシウムを含むセラミックである、組成物。
【請求項１０】
請求項９の組成物において、前記カルシウムを含むセラミックがリン酸カルシウムを含むセラミックである、組成物。
【請求項１１】
請求項１０の組成物において、前記リン酸カルシウムを含むセラミックがヒドロキシアパタイトから成る、組成物。
【請求項１２】
請求項１の組成物で形成された所要形状の物品。
【請求項１３】
請求項１２の物品において、荷重支承部材である、物品。
【請求項１４】
請求項１３の物品において、前記部材が、椎間板インプラントである、物品。
【請求項１５】
請求項１３の物品において、骨プレート、骨ねじ及び荷重支承の椎間板インプラントから成る群から選ばれた構造体を形成し得るような形状とされた、物品。
【請求項１６】
請求項１の組成物から形成された骨セメント。
【請求項１７】
請求項１の組成物において、前記生物活性微粒子セラミックは、前記生体適合性ポリマーのマトリックス内に埋め込まれている、整形外科用組成物。
【誤訳訂正２】
【訂正対象書類名】明細書
【訂正対象項目名】００２１
【訂正方法】変更
【訂正の内容】
【００２１】
同様に、補強ポリマーのような生体適合性ポリマーは、天然又は合成供給源から得ることができ、また、生体再吸収性又は非生体再吸収性とすることもできる。生体適合性ポリマーは、例えば、複合材の荷重支承能力を増大させるため複合材を強化する作用を果たすように選ぶことができる。ポリマーを形成することができる天然材料の例は、コラーゲン、エラスティン、絹及び脱鉱物化した骨マトリックスを含む。非再吸収性合成材料の例は、ポリエチレン、ポリメチルメタアクリレート、ポリエーテルエーテルケトン、ポリウレタンを含む。適宜な生体再吸収性合性ポリマーは、ポリ（Ｌ―ラクチド）、ポリ（Ｄ、Ｌ―ラクチド）、ポリ（Ｌ―共―Ｄ、Ｌラクチド）、ポリグリコライド、ポリ（ラクチド―共―グリコライド）、ポリ（ヒドロキシブチレート）、ポリ（ヒドロキシヴァラレート）、チロシン誘導ポリカーボネート、ポリ無水物、ポリオルトエステル、ポリフォスファゼン、ポリ（ジオキサノン）、ポリ（−カプロラクトン）及びポリグリコネートを含む。
当該技術分野において既知のその他の同様のポリマーを使用することができ、また、使用に応じて組成物を調節し得るようポリマーの色々な組み合わせ体を組成物中に含めることができる。
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
６−メトキシ−２，６−ジメチルオクタナール。
【請求項２】
６−メトキシ−２，６−ジメチルオクタナールのフレグランス成分としての使用。
【請求項３】
６−メトキシ−２，６−ジメチルオクタナールを含む、フレグランス組成物。
【手続補正書】
【提出日】平成21年4月14日(2009.4.14)
【手続補正１】
【補正対象書類名】特許請求の範囲
【補正対象項目名】請求項９
【補正方法】変更
【補正の内容】
【請求項９】
請求項６記載の方法において、金属含有電極ペーストが銅を含むことを特徴とする方法。
【手続補正２】
【補正対象書類名】特許請求の範囲
【補正対象項目名】請求項１７
【補正方法】変更
【補正の内容】
【請求項１７】
多層チップコンデンサを含む電子デバイスにおいて、誘電体層が、Ｇｄ、Ｎｄ、Ｔｉ、Ｂａ、Ｃａ、Ｓｒ、Ｓｉ、Ｌｉ、Ｓｍ、Ｚｎ、Ｂ及びＦを含有する複合酸化物を含むことを特徴とする電子デバイス。
【手続補正３】
【補正対象書類名】明細書
【補正対象項目名】００１０
【補正方法】変更
【補正の内容】
【００１０】
本発明は、また、Ｇｄ、Ｎｄ、Ｔｉ、Ｂａ、Ｃａ、Ｓｒ、Ｓｉ、Ｌｉ、Ｓｍ、Ｚｎ、Ｂ及びＦを含有する複合酸化物を含む誘電体層を有する多層セラミックチップコンデンサを備える電子デバイスを提供する。
【手続補正４】
【補正対象書類名】明細書
【補正対象項目名】００２０
【補正方法】変更
【補正の内容】
【００２０】
本発明のさらなる実施態様では、Ｇｄ、Ｎｄ、Ｔｉ、Ｂａ、Ｃａ、Ｓｒ、Ｓｉ、Ｌｉ、Ｓｍ、Ｚｎ、Ｂ及びＦを含有する複合酸化物を含む誘電体層を有する多層セラミックチップコンデンサを備える電子デバイスを提供する。
【手続補正書】
【提出日】平成21年2月12日(2009.2.12)
【手続補正１】
【補正対象書類名】特許請求の範囲
【補正対象項目名】請求項７
【補正方法】変更
【補正の内容】
【請求項７】
グルタミン酸機能障害に関連する神経疾患及び精神疾患の処置または予防の必要な動物におけるかかるグルタミン酸機能障害に関連する神経疾患及び精神疾患の処置または予防のための、請求項１または２に記載の化合物の治療的有効量を含む医薬組成物。
【手続補正２】
【補正対象書類名】特許請求の範囲
【補正対象項目名】請求項９
【補正方法】変更
【補正の内容】
【請求項９】
前記神経疾患及び精神疾患が、前記神経疾患及び精神疾患が、心臓バイパス手術及び移植に続発する脳障害、卒中、脳虚血、脊髄損傷、頭蓋骨損傷、周生期低酸素症、心不全、低血糖神経損傷、認知症、AIDS-誘発認知症、アルツハイマー病、ハンチントン舞踏病、筋萎縮性側索硬化症、眼損傷、網膜症、認知障害、特発及び薬物-誘発性パーキンソン病、筋肉痙攣及びふるえ、てんかん、痙攣などの筋痙直に関連する筋肉痙攣及び障害、長期てんかん重積症に続発する脳障害、片頭痛、片頭痛、尿失禁、薬物耐性、薬物離脱、精神病、統合失調症、不安神経症、全般性不安障害、パニック障害、対人恐怖症、強迫性障害、及び外傷性ストレス疾患(PTSD)、気分障害、鬱、躁、双極性障害、概日リズム障害、時差ぼけ、交代勤務、三叉神経痛、難聴、耳鳴り、目の黄斑変性、嘔吐、脳浮腫、疼痛、急性疼痛、慢性疼痛、激痛、難治性疼痛、神経因性疼痛、炎症性痛覚、及び外傷後疼痛、遅発性ジスキネジー、睡眠障害、ナルコレプシー、注意欠陥/多動性障害、並びに行動障害から選択される、請求項７に記載の医薬組成物。
【手続補正３】
【補正対象書類名】特許請求の範囲
【補正対象項目名】請求項１０
【補正方法】変更
【補正の内容】
【請求項１０】
前記神経疾患及び精神疾患がアルツハイマー病、長期てんかん重積症に続発する脳障害、薬物耐性、薬物離脱、精神病、統合失調症、不安神経症、全般性不安障害、パニック障害、対人恐怖症、強迫性障害、及び外傷後ストレス疾患(PTSD)、気分障害、鬱、躁、及び双極性障害から選択される、請求項９に記載の医薬組成物。
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
活性剤として、
（ａ）式
【化１】
2009509929.tif 000001
式中、
Ｒは、水素またはイソプロピルであり、
Ｒ１は、メチルもしくはエチルであり、およびＲ２は、Ｃ１〜Ｃ６アルキルもしくはＣ２〜Ｃ６アルケニルであり、または
Ｒ１およびＲ２は、これらが結合している炭素原子と共にＣ５もしくはＣ６シクロアルキル環を形成し、および
点線は、炭素−炭素結合と共に、単結合もしくは二重結合を表す、
で表される少なくとも１種の化合物、
（ｂ）式
【化２】
2009509929.tif 000002
式中、Ｙは、Ｃ４〜Ｃ７炭化水素残基である、
で表される少なくとも１種の化合物、ならびに
（ｃ）美容上許容し得る担体
を含む局所的スキンケア組成物であって、
活性剤の合計量が、該局所的スキンケア組成物を基準として０．２〜２重量％である、前記局所的スキンケア組成物。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
以下の段階を含む、医薬の経膜的投与によって中耳感染症およびその後遺症を処置または予防するための方法：
無傷の鼓膜(tympanic membrane)の外部表面に、中耳感染症およびその後遺症の処置または予防に有用な医薬を含む経膜的担体組成物を適用する段階。
【請求項２】
経膜的担体が非イオン性ポリマー界面活性剤である、請求項1記載の方法。
【請求項３】
非イオン性ポリマー界面活性剤がアルキルアリールポリエーテルアルコールである、請求項2記載の方法。
【請求項４】
医薬が抗生物質である、請求項1記載の方法。
【請求項５】
抗生物質が、キノロン系抗生物質、ペニシリン系抗生物質、マクロライド系抗生物質、セファロスポリン系抗生物質、サルファ系抗生物質、およびベータラクタマーゼ阻害剤からなる群より選択される、請求項4記載の方法。
【請求項６】
抗生物質がシプロフロキサシンを含み、かつ中耳感染症を処置または予防するために投与される、請求項4記載の方法。
【請求項７】
抗生物質がオフロキサシンを含み、かつ中耳感染症を処置または予防するために投与される、請求項4記載の方法。
【請求項８】
抗生物質がスルフィソキサゾールを含み、かつ中耳感染症を処置または予防するために投与される、請求項4記載の方法。
【請求項９】
抗生物質がアモキシシリンを含み、かつ中耳感染症を処置または予防するために投与される、請求項4記載の方法。
【請求項１０】
抗生物質が0.1％から10％ w/wの組成物濃度で提供される、請求項4記載の方法。
【請求項１１】
抗生物質が組成物の0.3％ w/wの濃度で提供される、請求項4記載の方法。
【請求項１２】
非イオン性ポリマー界面活性剤が約0.01から10％ w/wの濃度で提供される、請求項2記載の方法。
【請求項１３】
非イオン性ポリマー界面活性剤が約0.05％から約0.2％ v/vの濃度で提供される、請求項2記載の方法。
【請求項１４】
医薬が抗ウイルス剤である、請求項1記載の方法。
【請求項１５】
抗ウイルス剤がアシクロビルである、請求項14記載の方法。
【請求項１６】
アルキルアリールポリエーテルアルコールがチロキサポールである、請求項2記載の方法。
【請求項１７】
経膜的担体組成物が、中耳感染症の急性期の間に鼓膜(tympanic membrane)に適用される、請求項1記載の方法。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
物理的及び化学的に安定な、水溶性の両親媒性ポリマー−PDGF複合体であって、以下：
前記両親媒性ポリマーは、以下の式：
【化１】
2009509952.tif 000001
｛式中、
R及びR'は、結合、又は場合により、O、N及び／又はSから選択された1つ以上のヘテロ原子を含む、分岐した及び／又は不飽和の１〜１８個の炭素を含む鎖であり、
R及びR'は、お互いに同じ又は異なり、
F及びF'は、エステル、チオエステル、アミド、カーボネート、カルバメート、エーテル、チオエーテル、又はアミンであり、
F及びF'は、お互いに同じ又は異なり、
Xは、以下の：カルボキシレート、スルフェート、スルホネート、ホスフェート、ホスホネートであってよい親水性基であり、
Yは、以下の：スルフェート、スルホネート、ホスフェート、ホスホネートであってよい親水性基であり、
Hyは、以下の：
場合により不飽和及び／またはO、N若しくはSから選択された1つ以上のヘテロ原子を含む、直鎖又は分岐鎖C8〜C30アルキル、
場合により不飽和及び／または場合によりヘテロ原子を含む、直鎖又は分岐鎖C8〜C18アルキルアリール又はアリールアルキル、
場合により不飽和のC8〜C30多環式基、であってよい疎水性基であり、
ｎ及びoは１〜３であり、
ｈは、０．０１〜０．５の、モノマー単位に対する疎水性基のモル分率を表し、
ｘは、０〜２．０の、モノマー単位に対する親水性基のモル分率を表し、
ｙは、０〜０．５の、モノマー単位に対する親水性基のモル分率を表す。｝
により表される、疎水性置換基及び親水性基で官能化された親水性ポリマー骨格からなり；
前記PDGFは、PDGF（血小板由来成長因子）群から選ばれること、
に特徴を有する、前記複合体。
【請求項２】
前記PDGFが、2つのB鎖を含むヒト組換えPDGF(rhPDGF-BB)からなる群から選ばれることに特徴を有する、請求項１に記載の複合体。
【請求項３】
前記ポリマーが、前記置換基がランダムに分布するポリマーから選ばれることに特徴を有する、請求項１又は２に記載の複合体。
【請求項４】
前記両親媒性ポリマーが、ポリアミノ酸から選ばれることに特徴を有する、請求項１〜３のいずれか１項に記載の複合体。
【請求項５】
前記ポリアミノ酸が、ポリグルタメート又はポリアスパルテートから成る群から選ばれることに特徴を有する、請求項４に記載の複合体。
【請求項６】
前記ポリアミノ酸が、ホモポリグルタメートであることに特徴を有する、請求項５に記載の複合体。
【請求項７】
前記ポリアミノ酸が、ホモポリアスパルテートであることに特徴を有する、請求項６に記載の複合体。
【請求項８】
前記ポリアミノ酸が、アスパルテート及びグルタメートのコポリマーであることに特徴を有する、請求項４に記載の複合体。
【請求項９】
前記ポリマーが、ポリサッカライドから選ばれることに特徴を有する、請求項１〜５のいずれか１項に記載の複合体。
【請求項１０】
前記ポリサッカライドが、ヒアルロン酸類、アルギン酸類、キトサン類、ガラクツロン酸類、コンドロイチンスルフェート類、デキストラン類及びセルロース類から選ばれることに特徴を有する、請求項９に記載の複合体。
【請求項１１】
前記セルロース類が、酸で官能化されたセルロースから成ることを特徴とする、請求項１０に記載の複合体。
【請求項１２】
前記デキストラン類が、酸で官能化されたデキストランから成ることを特徴とする、請求項１０に記載の複合体。
【請求項１３】
前記ポリサッカライドが、ヒアルロン酸類、アルギン酸類及びキトサン類から成る群から選ばれることを特徴とする、請求項９に記載の複合体。
【請求項１４】
前記ポリサッカライドが、以下の式（I)：
【化２】
2009509952.tif 000002
｛式中、
Dは、一連のグルコシド単位から成る、ポリサッカライド鎖を表し、
MCは、メチルカルボキシル基を表し、
Bは、N-ベンジルメチレンカルボキサミド基を表し、
Suは、スルフェート基（グルコシド単位が担持する遊離のヒドロキシル官能基の硫酸化）を表し、
ａ、ｂ及びｃは、以下の：
ｉ）ａは絶対的に０超であり；
ｉｉ）ｂは、以下の：
ｂが０．３以上であり、かつｃが０．１〜０．５であるか；又は
ｂが絶対的に０．３未満であり、かつｃが以下の式（１）：
【数１】
2009509952.tif 000003
に相当する、
であり、それぞれ、MC、Ｂ及びSu基の置換度（ds）を表す。｝
に対応する、可溶性デキストラン誘導体からなる群から選ばれることに特徴を有する、請求項９に記載の複合体。
【請求項１５】
前記疎水性基Hyが、脂肪酸類、脂肪族アルコール類、脂肪族アミン類、ベンジルアミン類、コレステロール誘導体類及びフェノール類から成る群から選ばれることに特徴を有する、請求項１〜１４のいずれか1項に記載の複合体。
【請求項１６】
前記両親媒性ポリマー−PDGF複合体の形成が可逆的であることに特徴を有する、請求項１〜１５のいずれか1項に記載の複合体。
【請求項１７】
化学的及び物理的安定性の実証のための試験に合格することを特徴とする、請求項１〜１６のいずれか１項に記載の複合体。
【請求項１８】
前記化学的及び物理的安定性の実証のための試験が、前記複合体の実証のための試験(ゲル移動度シフト法)、プロテアーゼと接触させることによる酵素的分解の減速についての試験、及びSDS-Pageにより実施される生理的pHでの物理的安定性についての試験からなる群から選ばれることに特徴を有する、請求項１７に記載の複合体。
【請求項１９】
前記PDGF／両親媒性ポリマー比が、１／５〜１／５０００であることに特徴を有する、請求項１〜１８のいずれか１項に記載の複合体。
【請求項２０】
前記PDGF／両親媒性ポリマー比が、１／１００〜１／５０００であることに特徴を有する、請求項１〜１９のいずれか１項に記載の複合体。
【請求項２１】
前記PDGF／両親媒性ポリマー比が、１／３００〜１／７００であることに特徴を有する、請求項１〜２０のいずれか1項に記載の複合体。
【請求項２２】
請求項１〜２１のいずれか１項に記載の両親媒性ポリマー／PDGF複合体の調製方法であって、該ポリマー／PDGF複合体が、水性媒体中で、かつ該タンパク質を変性しうる有機溶媒の不存在下で調製されることを特徴とする、前記方法。
【請求項２３】
請求項１〜２１のいずれか1項に記載の両親媒性ポリマー−PDGF複合体を含むことに特徴を有する、治療用組成物。
【請求項２４】
１００μg/mlのPDGFの投与を可能とすることに特徴を有する、請求項２３に記載の治療用組成物。
【請求項２５】
請求項１〜２１のいずれか１項に記載の両親媒性ポリマー−PDGF複合体を含む、局所投与による潰瘍の治療における使用のための治癒効果を有する治療用組成物。
【請求項２６】
治療部位に投与することからなることに特徴を有するヒト用又は獣医学用の使用のための、請求項１〜２１のいずれか１項に記載の両親媒性ポリマー−PDGF複合体を含む治療用組成物。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
ニオブ化合物である、アンモニウム（ビスアクオオキソビスオキサラト）ニオベート
（ＮＨ4）［Ｎｂ（Ｏ）（Ｃ2Ｏ4）2（Ｈ2Ｏ）2］およびその水和物。
【請求項２】
請求項１記載の化合物を製造する方法であって、
水酸化ニオブとシュウ酸とを水中に溶解する工程、
アンモニアを添加する工程、
反応混合物を冷却する工程
を有する方法。
【請求項３】
反応混合物中のニオブ濃度が、約２ｇＮｂ／ｌ未満である、請求項２記載の方法。
【請求項４】
反応混合物が、約３５℃〜約８０℃の温度を有する、請求項２または３記載の方法。
【請求項５】
反応混合物を、約２５℃以下の温度に冷却する、請求項２から４までのいずれか１項記載の方法。
【請求項６】
式１の化合物を、水、補助剤、乳化剤、抗菌剤、水溶性バッグ、水溶性ポリマー、ポリビニルアルコール、シュウ酸、シュウ酸アンモニウムからなる群から選択される少なくとも１の別の成分と一緒に含有する調製物。
【請求項７】
前記調製物が、請求項１記載の化合物、該化合物の溶液または該化合物のスラリーを含有する可溶性のポリマーフィルムからなる容器を含有する、請求項６記載の調製物。
【請求項８】
ポリマーフィルムが、ポリビニルアルコールを含有する、請求項６または７記載の調製物。
【請求項９】
前記調製物が、ポリビニルアルコールのフィルムを含有する閉じられたバッグ内の請求項１記載の固体化合物である、請求項７または８記載の調製物。
【請求項１０】
触媒、セラミック材料、エレクトロセラミック材料またはフェライトを製造するための、請求項１記載の化合物または該化合物の調製物の使用。
【請求項１１】
請求項１記載の調製物であって、該調製物が、プレス成形された物品である調製物。
【請求項１２】
成形された物品が、円柱形または球形の形を有する、請求項１１記載の調製物。
【請求項１３】
実質的に請求項１記載の化合物からなる、請求項１１または１２記載の調製物。
【請求項１４】
前記の調製物が、請求項１記載の化合物、および少なくとも１の添加剤、補助剤、助剤、離型剤、滑剤、またはこれらの組み合わせを含有する、請求項１１または１２記載の調製物。
【請求項１５】
前記の調製物が、少なくとも１の炭酸塩を含有する、請求項１４記載の調製物。
【請求項１６】
前記の調製物が、炭酸塩および固体の酸性化合物を含有する、請求項１５記載の調製物。
【請求項１７】
炭酸塩が、炭酸アンモニウムであり、かつ固体の酸性化合物が、シュウ酸である、請求項１６記載の調製物。
【請求項１８】
本発明によるニオブ化合物の成形された物品を製造する方法であって、
場合により請求項１記載のニオブ化合物を準備する工程、
該ニオブ化合物を固体の酸性化合物および固体の炭酸塩と混合して、第一の混合物を得る工程、
該ニオブ化合物または該第一の混合物をダイへ移す工程、
ダイの中身をプレスして成形された物品を得る工程
を有する、本発明によるニオブ化合物の成形された物品を製造する方法。
【手続補正書】
【提出日】平成21年9月18日(2009.9.18)
【手続補正１】
【補正対象書類名】明細書
【補正対象項目名】０１６１
【補正方法】変更
【補正の内容】
【０１６１】
((１Ｓ,２Ｓ,４Ｓ)−２−ヒドロキシ−４−ヒドロキシメチル−１−{(Ｓ)−２−[４−メトキシ−３−(３−メトキシ−プロポキシ)−ベンジル]−３−メチル−ブチル}−５−メチル−ヘキシル)−カルバミン酸ｔｅｒｔ−ブチルエステル化合物XXVの合成：
【化５７】
2009509990.tif 000001
１ｇ(１.５９mmol)の化合物XVａの１７mLのテトラヒドロフラン溶液を−７８℃に冷却し、１７mLのアンモニアを凝縮により添加する。ナトリウム金属(０.４３９ｇ、１９.０８mmol)を添加し、溶液を−７８℃で２４時間撹拌する。塩化アンモニウム(２.５６ｇ)を添加し、温度を室温に上げる。トルエン(４０mL)および酢酸(１.９ｇ)の混合物を添加し、溶液を１０分室温で撹拌する。水(２５mL)を添加し、有機相を分離する。水性相をトルエン(２５mL)で再抽出し、合わせた有機相を４回水および塩水１／１混合物(合計４８０mL)で洗浄する。有機層を無水硫酸ナトリウムで乾燥させ、濾過する。溶媒を真空で除去して、０.８６ｇの粗生成物を得る。粗生成物を、ヘプタン／酢酸エチル混合物で溶出するシリカゲルクロマトグラフィーで精製して、０.７１３ｇの純粋化合物を得る。1H-NMR(CDCl3)δ 6.75(2H, m, Ph), 6.71(1h, m, Ph), 4.68(1H, Brd, NH), 4.10(2H, t, CH2O), 3.83(3H, s, MeO), 3.59(5H, m), 3.43(1H, m, NCH), 3.36(3H, s, MeO), 2.77(1H, m, OH), 2.50(3H, m, PhCH2 + OH), 2.10(2H, m, CH2), 1.75-1.56(8H, m), 1.45(9H, s, t-Bu), 0.91-0.86(12H, m, 4×Me)。
【手続補正２】
【補正対象書類名】明細書
【補正対象項目名】０１６２
【補正方法】変更
【補正の内容】
【０１６２】
{(１Ｓ,３Ｓ)−１−((２Ｓ,４Ｓ)−４−イソプロピル−５−オキソ−テトラヒドロ−フラン−２−イル)−３−[４−メトキシ−３−(３−メトキシ−プロポキシ)−ベンジル]−４−メチル−ペンチル}−カルバミン酸ｔｅｒｔ−ブチルエステル化合物XXVIの合成：
【化５８】
2009509990.tif 000002
化合物XXV(０.６７９ｇ、１.２６mmol)の１２mLのアセトニトリル溶液を、０.７ｇの粉末４Ａモレキュラー・シーブ、０.５９(５.０４mmol)のＮ−メチルモルホリンＮ−オキシドおよび０.０４４２ｇ(０.１２６mmol)の過ルテニウム酸テトラプロピルアンモニウムで室温で連続的に処理する。この混合物を２４時間室温で撹拌し、溶媒を真空で除去する。残渣を酢酸エチル(２０mL)に再溶解し、シリカゲルのベッドを通して濾過する。シリカゲルを酢酸エチル(９００mL)で洗浄し、合わせた有機溶液を蒸発乾固して、０.７２ｇの油状物を得る。この油状物を、ヘプタン／酢酸エチル混合物で溶出するシリカゲルクロマトグラフィーに付し、生成物フラクションを合わせ、溶媒を除去した後、０.５７４ｇの化合物XXVIを得る。1H-NMR(CDCl3)δ 6.80-6.65(3H, m, Ph), 4.39(1H, d, CHO-ラクトン), 4.10(2H, t, CH2O), 3.83-3.75(4H, m, MeO + NCH), 3.59(2H, m), 3.36(3H, s, MeO), 2.64(1H, dd, PhCH), 2.55(1H, m, CHCO-ラクトン), 2.40(1H, dd, PhCH), 2.21-2.05(7H, m), 1.68(4H, m), 1.45(9H, s, t-Bu), 1.05(3H, d, Me), 0.93(3H, d, Me), 0.83(6H, m, 2×Me)。
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
哺乳動物においてCD36発現の増加を特徴とする疾患又は症状を治療するための医薬の調製における芳香族性陽イオンペプチドの使用であって、前記芳香族性陽イオンペプチドが、Phe-D-Arg-Phe-Lys-NH2(SS-20)およびD-Arg-2'6'Dmt-Lys-Phe-NH2(SS-31)からなる群より選ばれる式を有する、前記使用。
【請求項２】
CD36発現の増加を特徴とする疾患又は症状がアテローム性硬化症を含む、請求項１に記載の使用。
【請求項３】
CD36発現の増加を特徴とする疾患又は症状がアルツハイマー病を含む、請求項１に記載の使用。
【請求項４】
CD36発現の増加を特徴とする疾患又は症状が糖尿病を含む、請求項１に記載の使用。
【請求項５】
CD36発現の増加を特徴とする疾患又は症状が糖尿病の合併症を含む、請求項１に記載の使用。
【請求項６】
芳香族性陽イオンペプチドがPhe-D-Arg-Phe-Lys-NH2（SS-20）を含む、請求項１に記載の使用。
【請求項７】
芳香族性陽イオンペプチドがD-Arg-2'6'Dmt-Lys-Phe-NH2（SS-31）を含む、請求項１に記載の使用。
【請求項８】
哺乳動物の尿管閉塞を治療するための医薬の調製における、以下の（a）−（e）を有する芳香族性陽イオンペプチドの使用：
（a）少なくとも1つの正味の陽電荷；
（b）最小限4つのアミノ酸；
（c）最大限約20のアミノ酸；
（d）正味の陽電荷の最小数（pm）とアミノ酸残基総数（r）との間で、3pmがr＋1以下の最大の数であるという関係；及び
（e）芳香族基の最小数（a）と正味の陽電荷の総数（pt）との間で、2aはpt＋1以下の最大の数であるが、ただしaが1のときはptもまた1でありえる関係。
【請求項９】
芳香族性陽イオンペプチドがPhe-D-Arg-Phe-Lys-NH2（SS-20）を含む、請求項８に記載の使用。
【請求項１０】
芳香族性陽イオンペプチドがD-Arg-2'6'Dmt-Lys-Phe-NH2（SS-31）を含む、請求項８に記載の使用。
【請求項１１】
哺乳動物で糖尿病性腎症を治療するための医薬の調製における、芳香族性陽イオンペプチドの使用であって、前記芳香族性陽イオンペプチドがPhe-D-Arg-Phe-Lys-NH2 (SS-20)およびD-Arg-2'6'Dmt-Lys-Phe-NH2 (SS-31)からなる群より選ばれる式を有する、前記使用。
【請求項１２】
芳香族性陽イオンペプチドがPhe-D-Arg-Phe-Lys-NH2（SS-20）を含む、請求項１１に記載の使用。
【請求項１３】
芳香族性陽イオンペプチドがD-Arg-2'6'Dmt-Lys-Phe-NH2（SS-31）を含む、請求項１１に記載の使用。
【請求項１４】
芳香族性陽イオンペプチドの有効量と摘出器官または臓器を接触させることを含む、摘出器官又は組織でCD36発現を減少させる方法であって、前記芳香族性陽イオンペプチドが、Phe-D-Arg-Phe-Lys-NH2 (SS-20)およびD-Arg-2'6'Dmt-Lys-Phe-NH2 (SS-31)からなる群より選ばれる式を有する、前記方法。
【請求項１５】
芳香族性陽イオンペプチドがPhe-D-Arg-Phe-Lys-NH2（SS-20）を含む、請求項１４に記載の方法。
【請求項１６】
芳香族性陽イオンペプチドがD-Arg-2'6'Dmt-Lys-Phe-NH2（SS-31）を含む、請求項１４に記載の方法。
【手続補正書】
【提出日】平成21年2月12日(2009.2.12)
【手続補正１】
【補正対象書類名】特許請求の範囲
【補正対象項目名】請求項２３
【補正方法】変更
【補正の内容】
【請求項２３】
グルタメート機能不全に関連した神経障害および精神障害の処置を必要としている動物のグルタメート機能不全に関連した神経障害および精神障害の処置または予防のための、治療的有効量の請求項１〜１８のいずれか一項に記載の化合物を含有する医薬組成物。
【手続補正２】
【補正対象書類名】特許請求の範囲
【補正対象項目名】請求項２５
【補正方法】変更
【補正の内容】
【請求項２５】
神経障害および精神障害が、心臓バイパス術および移植後の脳欠陥、卒中、脳虚血、脊髄外傷、頭部外傷、周産期低酸素症、心停止、低血糖性神経細胞損傷、痴呆、ＡＩＤＳ性痴呆、アルツハイマー病、ハンチントン舞踏病、筋萎縮性側索硬化症、眼損傷、網膜症、認知障害、特発性および薬物性パーキンソン病；振せん、癲癇、痙攣を含めた筋痙縮に関連した筋痙攣および障害；癲癇重積持続状態の続発性脳欠陥、偏頭痛、偏頭痛、尿失禁、物質耐性、物質離脱、精神病、統合失調症、不安、全般性不安障害、パニック障害、社会恐怖症、強迫性障害および心的外傷後ストレス障害（ＰＴＳＤ）、気分障害、うつ病、躁病、双極性障害、日周期リズム障害、時差ぼけ、交代作業、三叉神経痛、難聴、耳鳴、眼の黄斑変性、嘔吐、脳水腫、疼痛、急性痛、慢性痛、激痛、難治性疼痛、ニューロパシー性疼痛、炎症性疼痛および外傷後疼痛、遅発性ジスキネジー、睡眠障害、ナルコレプシー、注意欠陥／多動障害および行為障害より選択される、請求項２３に記載の医薬組成物。
【手続補正３】
【補正対象書類名】特許請求の範囲
【補正対象項目名】請求項２６
【補正方法】変更
【補正の内容】
【請求項２６】
神経障害および精神障害が、アルツハイマー病、癲癇重積持続状態の続発性脳欠陥、物質耐性、物質離脱、精神病、統合失調症、不安、全般性不安障害、パニック障害、社会恐怖症、強迫性障害および心的外傷後ストレス障害（ＰＴＳＤ）、気分障害、うつ病、躁病および双極性障害より選択される、請求項２５に記載の医薬組成物。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
リソソーム酵素をコードする遺伝子の変異に関連する、個体における神経障害を治療する方法であって、前記リソソーム酵素に結合する特異的薬理学的シャペロンの有効量を前記個体に投与することを含む方法。
【請求項２】
前記リソソーム酵素がグルコセレブロシダーゼであり、前記神経障害がパーキンソン病又はパーキンソニズムである、請求項１に記載の方法。
【請求項３】
前記特異的薬理学的シャペロンが、イソファゴミン又は（５Ｒ，６Ｒ，７Ｓ，８Ｓ）−５−ヒドロキシメチル−２−オクチル−５，６，７，８−テトラヒドロイミダゾ［１，２−ａ］ピリジン−６，７，８−トリオールである、請求項２に記載の方法。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
花粉粒および微生物の内生胞子を含む天然胞子の外皮またはそのフラグメントの酸化防止剤としての使用方法。
【請求項２】
外皮またはフラグメントが、有効物質を含有する配合物に酸化防止剤として使用される請求項１に記載の使用方法。
【請求項３】
有効物質が脂質または脂質様物質である請求項２に記載の使用方法。
【請求項４】
有効物質が、紫外線によって誘発される酸化を受けやすい請求項２または請求項３に記載の使用方法。
【請求項５】
配合物が、スキンケア製品を含む化粧品、トイレタリ、ヘアケアおよびネイルケア製品、デンタル製品、医薬品および栄養薬効製品、ならびに食品から選択される製品に含有される請求項１から請求項４のいずれか一項に記載の使用方法。
【請求項６】
物質または組成物から、既に形成されている酸化物を除去するための、花粉粒および微生物の内生胞子を含む天然胞子の外皮またはそのフラグメントの使用方法。
【請求項７】
物質または組成物が脂質である請求項６に記載の使用方法。
【請求項８】
外皮またはフラグメントが、天然胞子から誘導されるセルロース内膜のすべてまたは一部を更に含有する請求項１から請求項７のいずれか一項に記載の使用方法。
【請求項９】
有効物質を酸化から保護し、かつ／または有効成分または該有効成分を含有する組成物の安定性を向上させる方法であって、
有効成分と、花粉粒および微生物の内生胞子を含む天然胞子の外皮またはそのフラグメントとを配合する工程を有する方法。
【請求項１０】
医薬的に有効な酸化防止剤として使用される、花粉粒および微生物の内生胞子を含む天然胞子の外皮またはそのフラグメント。
【請求項１１】
風味および／または臭気のマスキング剤としての、花粉粒および微生物の内生胞子を含む天然胞子の外皮またはそのフラグメントの使用方法。
【手続補正書】
【提出日】平成21年5月7日(2009.5.7)
【手続補正１】
【補正対象書類名】明細書
【補正対象項目名】０００９
【補正方法】変更
【補正の内容】
【０００９】
本「製品表示システムおよび容器」は、大手の製造業者から個人経営の製品流通販売まで、種々の産業に応用（適用）可能である。その非限定的な例としては、小売店舗および／または卸売り（ホールセール）店舗において、自社製品が本発明を使って表示（展示）されることを希望する製品製造業者などがある。また、広告代理店および／またはマーケティング企業も、製品の販売促進および／またはイベントのプロモーションに本「製品表示システムおよび容器」の使用を希望する可能性がある。
この出願の発明に関連する先行技術文献情報としては、以下のものがある（国際出願日以降国際段階で引用された文献及び他国に国内移行した際に引用された文献を含む）。
【特許文献１】米国特許出願公開第２００４／０２４６６８４号明細書
【特許文献２】米国特許出願公開第２００５／００４１０９１号明細書
【特許文献３】米国特許第６，３３３，７５４号明細書
【特許文献４】米国特許第６，９２２，２０４号明細書
【特許文献５】米国特許出願公開第２００４／００５１９３４号明細書
【特許文献６】米国特許第６，４１１，３１６号明細書
【特許文献７】米国特許第６，０２５，８９６号明細書
【特許文献８】米国特許出願公開第２００４／０１５５８３３号明細書
【特許文献９】米国特許出願公開第２００４／０１９００８０号明細書
【特許文献１０】米国特許出願公開第２００４／０１８９６７２号明細書
【特許文献１１】米国特許出願公開第２００２／００３２７０７号明細書
【特許文献１２】米国特許第５，８８８，６２５号明細書
【特許文献１３】米国特許第６，１２４，８５１号明細書
【特許文献１４】米国特許出願公開第２００４／０１１３８６５号明細書
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
物体用の識別システムにおいて、
第１ラベルとして形成されたＲＦＩＤタグであって、前記タグは、前記物体に関する情報を包含するべく、エンコーディングされており、前記第１ラベルは、その上に印刷された、前記エンコーディングされた情報に対応した標識を具備しており、前記ＲＦＩＤタグ上にエンコーディングされている前記情報は、前記物体の複数の形態の識別情報を提供するべく、前記第１ラベル上に印刷された前記標識に対応している、ＲＦＩＤタグと、
前記ＲＦＩＤタグ内の前記エンコーディングされた情報に基づいて、前記第１ラベルから次ぎのラベルへ、印刷される情報を変化させる能力を提供するコントローラと、
を有する識別システム。
【請求項２】
ＲＦＩＤタグを具備したラベルをエンコーディングし、前記ラベルを物体に貼り付け、且つ、前記ラベル上に印刷するシステムにおいて、
前記ＲＦＩＤタグ上に情報をエンコーディングするエンコーダと、
前記ラベルを前記物体に貼り付けるラベルアプリケータと、
前記ＲＦＩＤタグ内の情報に基づいて、前記第１ラベルから次ぎのラベルへ、印刷される情報を変化させる能力を提供するコントローラと、
前記ラベル上に情報を印刷するプリンタと、
を有するシステム。
【請求項３】
識別情報を物体に提供する方法において、
ラベルとして形成されたＲＦＩＤタグ上に識別情報をエンコーディングする段階と、
前記ラベルを物体に貼り付ける段階と、
前記ＲＦＩＤタグ上の前記エンコーディングされた情報に基づいて、前記ラベル上に印刷される標識を決定する段階と、
前記エンコーディングされた情報に対応した前記標識を前記ラベル上にインクジェット印刷する段階と、
を有する方法。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
第１主表面と、前記第１主表面の反対側の第２主表面と、外周縁部とを有する電解質膜と、
前記電解質膜の前記第１主表面に隣接して配置される陽極触媒層と、
前記電解質膜の前記第２主表面に隣接して配置される陰極触媒層と、
前記電解質膜に対向し前記陽極触媒層に隣接して配置される陽極ガス拡散層と、
前記電解質膜に対向し前記陰極触媒層に隣接して配置される陰極ガス拡散層とを含む第１非圧縮状態の厚さを有する膜電極組立品と、
前記外周縁部において前記電解質膜の前記第１主表面に隣接して配置され、第１複製構造体と第２非圧縮状態厚さとを有する第１ガスケットと、
前記外周縁部において前記電解質膜の前記第２主表面に隣接して配置され、第２複製構造体と第３非圧縮状態の厚さとを有する第２ガスケットとを備え、前記第２非圧縮状態の厚さと前記第３非圧縮状態の厚さの合計が、前記第１非圧縮状態の厚さより少なくとも約２０％大きい、電気化学装置副組立品。
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
所望の抵抗率及び出力を備えた電力損失型導電性トラックパターンを形成する導電性トラックの所望のパターンを有する加熱要素の製造方法であって、該方法は、
該所望のパターンに従う輻射線又は圧力による像様曝露、そして生じた潜像の現像の際に、該所望のパターンに従う金属画像を提供することができる、支持体の少なくとも一方の側に塗布された感光性又は感圧性層を有して成る支持体を含む、感光性又は感圧性要素を用意すること、
該層内に潜像を形成するために、所望の導電性パターンに従って該要素の該層を輻射線又は圧力に像様曝露すること；そして、
該支持体上に、該潜像のパターンに対応する導電性金属パターンを形成するために、該要素を現像すること、
を含んで成る。
【請求項２】
前記感光性又は感圧性層が、親水性バインダー又はポリマー中のハロゲン化銀乳剤である請求項1に記載の方法。
【請求項３】
該塗布された支持体が、感圧性ハロゲン化銀、該ハロゲン化銀と触媒的に近接する第二の銀イオン源、及び内蔵された現像剤組成物を含み、これにより、圧力曝露そして加熱の際に、該所望のトラックパターンに従って導電性金属トラックが形成される請求項1に記載の方法。
【請求項４】
該導電性トラックの線幅が25 μm以下である請求項1から3までのいずれか一項に記載の方法。
【請求項５】
該感光性又は感圧性層の曝露されていない領域が、該現像工程時に除去される請求項1から4までのいずれか一項に記載の方法。
【請求項６】
該パターンが、メッシュ直径2 mm以下の規則的なメッシュパターンであり、そして該加熱要素の光透過率が少なくとも90 %である請求項1から5までのいずれか一項に記載の方法。